(57)【特許請求の範囲】
【請求項１】
河川又は用水路を横断するように配設され、かつ該河川又は用水路の法面及び／又は床面に設けられた給排口から給排される流体により起立又は倒伏するゴム堰であって、
前記ゴム堰を芯体補強層にゴム層をコートした複数の繊維補強ゴムシートから帯状の袋体に形成すると共に、該袋体内面のゴム層に前記給排口に連通する溝を直接形成したゴム堰。
【請求項２】
前記溝が、前記ゴム堰の長手方向の一端から他端へ向かう少なくとも一本以上の溝である請求項１に記載のゴム堰。
【請求項３】
前記溝が、前記ゴム堰の長手方向及び周方向にそれぞれ延びる少なくとも一本以上の溝であると共に、該長手方向及び周方向の溝が互いに交差して連通する請求項１に記載のゴム堰。
【発明の詳細な説明】
【０００１】
【発明の属する技術分野】
この発明は、河川又は用水路を横断するように配設するゴム堰にかかわり、更に詳しくはゴム堰の倒伏時に、ゴム堰内の流体、特に空気を効率良く短時間にしかも完全に排気すると共に、ゴム堰表面を平滑面とするゴム堰に関するものである。
【０００２】
【従来の技術】
従来、農業用水を取入れるための取水用のゴム堰は、芯体補強層の両面にゴム層を設けた繊維補強ゴムシートを複数枚積層させ、これを帯状の袋体に形成して河川または用水路を横断するように配設して河川または用水路の床面や法面に固定している。
【０００３】
そして、袋体内に空気等の流体を給入させて膨張起立させることにより河川または用水路の取水堰等として利用し、また取水堰等として利用しない場合には、袋体内から流体を排出させて倒伏させるようにしている。
【０００４】
【発明が解決しようとする課題】
ところで、上記のようなゴム堰において、ゴム堰の起立または倒伏時に、ゴム堰内の流体を効率良く給入、排出させるために、例えば、図６に示すように、ゴム堰１の内壁面２にビニールパイプ等の通気用パイプ３を固定帯４により貼付けている。
【０００５】
然しながら、ゴム堰１の倒伏状態において、通気用パイプ３の取付け部の外面ゴム層は、図７に示すように通気用パイプ３の太さに対応した部分だけ外側に突起５として突出し、この突起５の外面ゴム層の表面は、河川の流下物により摩耗、損傷を受けやすく、ゴム堰１の寿命を短くすると言う問題があった。
【０００６】
この発明の目的は、ゴム堰の倒伏時に、封入されていた流体を短時間に、しかも完全に排出すると共に、ゴム堰表面を平滑面にしてゴム堰の耐久性及び寿命を延ばすことが出来るゴム堰を提供することにある。
【０００７】
【課題を解決するための手段】
この発明は、上記目的を達成するため、ゴム堰を芯体補強層にゴム層をコートした複数の繊維補強ゴムシートから帯状の袋体に形成すると共に、該袋体内面のゴム層に前記給排口に連通する溝を直接形成したことを要旨とするものである。
【０００８】
前記溝を、ゴム堰の長手方向の一端から他端側に向かって少なくとも一本以上形成したり、またゴム堰の長手方向及び周方向に少なくとも一本以上形成すると共に、長手方向及び周方向の溝が交差して連通するように形成することも可能である。
【０００９】
このように、ゴム堰を芯体補強層にゴム層をコートした複数の繊維補強ゴムシートから帯状の袋体に形成すると共に、該袋体内面のゴム層に前記給排口に連通する溝を直接形成したことにより、ゴム堰の倒伏時には、封入されていた流体を完全に排出でき、外面ゴム層の表面には、突起が無く、常に平滑な面となるため、流下物等による局部的な摩耗、損傷を防止することが出来、ゴム堰の寿命を延ばすことが出来るものである。
【００１０】
【発明の実施の形態】
以下、添付図面に基づきこの発明の実施の形態を説明する。
【００１１】
なお、従来例と同一構成要素は、同一符号を付して説明は省略する。
【００１２】
図１は、この発明の実施形態におけるゴム堰１０を、河川または用水路８の法面６ａと床面６ｂとにボルト等の締結部材７により設置固定した状態を示す斜視図、図２はこの発明のゴム堰１０の起立時の斜視図、図３はゴム堰１０の倒伏時の断面図を示している。
【００１３】
前記ゴム堰１０は、図３〜図５に示すように、芯体補強層１１のそれぞれの面にゴム層１２ａ，１２ｂをコートした繊維補強ゴムシート１３と、芯体補強層１１の両面にゴム層１２ｂをコートした複数枚の繊維補強ゴムシート１４を積層させ、芯体補強層１１の表面にコートしたゴム層１２ａは、ゴム層１２ｂと加硫接着しないように異種ゴム（例えば、ゴム層１２ｂの場合にはＥＰＤＭ、ゴム層１２ａの場合にはＳＢＲ，ＮＢＲ等）で構成してある。
【００１４】
この発明の実施形態では、前記芯体補強層１１の表面にコートしたゴム層１２ａに、所定の直径（この実施形態では、ゴム厚５ｍｍに対して半径４ｍｍ程度）の溝１５をゴム堰１０の給排口１７に連通するように形成してある。
【００１５】
給排口１７は、法面６ａおよび／または床面６ｂの任意の位置に、任意の個数で設けられ、図示しない流体給排装置へ接続している。なお、図１には、法面６ａと床面６ｂとにそれぞれ１個を設けた例を示している。
【００１６】
前記溝１５は、ゴム堰１０の長手方向の一端から他端側に向かって少なくとも一本以上形成し、またゴム堰１０の長手方向及び周方向に少なくとも一本以上形成すると共に、長手方向及び周方向の溝１５が交差して連通するように形成することも可能である。
【００１７】
このような溝１５の成形は、上記のような繊維補強ゴムシート１３と複数枚の繊維補強ゴムシート１４を積層させて帯状のゴム袋体に形成し、加硫成形後に、ゴム袋体の幅方向の一側縁側を切断して図５に示すように剥離開口させ、そのゴム層１２ａの片側に溝切り器等により長手方向及び周方向に溝１５を形成するものである。
【００１８】
そして、このように予め形成したゴム堰１０を設置場所に移動させて、開口側縁側をシールすると共に、クランプ部１６を形成し、ボルト等の締結部材７により河川または用水路８の法面６ａと床面６ｂとに設置固定するものである。
【００１９】
このように、ゴム堰１０の内壁面に、ゴム堰１０の給排口１７に連通する溝１５を形成したことにより、ゴム堰１０の倒伏時には、封入されていた流体を完全に排出でき、外面ゴム層の表面には、突起が無く、常に平滑な面となるため、流下物等による局部的な摩耗、損傷を防止することが出来、ゴム堰の寿命を延ばすことが出来る。
【００２０】
【発明の効果】
この発明は、上記のようにゴム堰を芯体補強層にゴム層をコートした複数の繊維補強ゴムシートから帯状の袋体に形成すると共に、該袋体内面のゴム層に前記給排口に連通する溝を直接形成したので、ゴム堰の倒伏時に、封入されていた流体を短時間に、しかも完全に排出するとともに、ゴム堰表面を平滑面にしてゴム堰の耐久性及び寿命を延ばすことが出来る効果がある。
【００２１】
また、従来のように通気パイプを取付ける手間が不要なため、設置工事の簡略化を図ることが出来る。
【図面の簡単な説明】
【図１】この発明の実施形態におけるゴム堰を、河川または用水路の法面と床面とに締結部材により設置固定した状態を示す斜視図である。
【図２】この発明のゴム堰の起立時の斜視図である。
【図３】ゴム堰の倒伏時の断面図である。
【図４】ゴム堰の倒伏時の一部断面図である。
【図５】ゴム堰に溝を形成する場合の説明図である。
【図６】従来のゴム堰の起立時の断面図である。
【図７】従来のゴム堰の倒伏時の断面図である。
【符号の説明】
１  ゴム堰                    ２  内壁面
３  通気用パイプ              ４  固定帯
５  突起                      ８  河川または用水路
６ａ  法面                    ６ｂ  床面
７  締結部材                １０  ゴム堰
１１  芯体補強層
１２ａ，１２ｂ  ゴム層        １３  繊維補強ゴムシート
１４  繊維補強ゴムシート      １５  溝
１６  クランプ部              １７  給排口
【図１】
0004201072.tif 000002
【図２】
0004201072.tif 000003
【図３】
0004201072.tif 000004
【図４】
0004201072.tif 000005
【図５】
0004201072.tif 000006
【図６】
0004201072.tif 000007
【図７】
0004201072.tif 000008